(57)【要約】【課題】ボタン型電池等の円盤状電池を電池ホルダに装填したものを、電子機器の収納機構部内に挿入して良好に収納保持可能で、さらに構成が簡素で廉価な電子機器を提供する。【解決手段】この電子機器では電池ホルダケーシング４の収納空間内に配置され、電池ホルダ２に装填されるコイン電池３の外周に圧接して、コイン電池３を付勢する電池接片５と、電池ホルダ２に形成される被係合凸部２ａと、電池ホルダ２を電池ホルダケーシング４の収納空間内に挿入するときに、被係合凸部２ａと係合する係合凸部４ａとを有し、係合凸部４ａは電池ホルダ２を電池ホルダケーシング４の収納空間内から取り出すときに弾性的に変位するものであって、係合凸部４ａが変位する方向と電池接片５がコイン電池３を付勢する方向とを略一致させる。【選択図】図９
2010049976.tif 000002
【特許請求の範囲】
【請求項１】
電子機器本体に設置された電池ホルダケーシングの収納空間内に、円盤状電池を装填可能な電池ホルダを挿抜可能な電子機器において、
前記電池ホルダケーシングの収納空間内に配置され、前記電池ホルダに装填される前記円盤状電池の外周に圧接して、前記円盤状電池を付勢する付勢部材と、
前記電池ホルダに形成される被係合部と、
前記電池ホルダを前記電池ホルダケーシングの収納空間内に挿入するときに、前記被係合部と係合する係合部とを有し、
前記係合部は前記電池ホルダを前記電池ホルダケーシングの収納空間内から取り出すときに弾性的に変位するものであって、前記係合部が変位する方向と前記付勢部材が前記円盤状電池を付勢する方向とを略一致させることを特徴とする電子機器。
【請求項２】
前記電池ホルダケーシングの収納空間内に形成され、前記電池ホルダを前記電池ホルダケーシングの収納空間内に挿入する際に前記電池ホルダをガイドするガイドレールと、
前記電池ホルダに形成され、前記電池ホルダを前記電池ホルダケーシングの収納空間内に挿入する際に前記ガイドレールに案内される挿入ガイド部材とを有し、
前記被係合部は前記ガイドレールの前記挿入ガイド部材と当接しない面に、前記付勢部材が前記円盤状電池を付勢する方向と略反対方向に突出形成される凸部であることを特徴とする請求項１に記載の電子機器。
【請求項３】
前記電池ホルダが前記電池ホルダケーシングの収納空間内に挿入される状態における、前記係合部と被係合部との係合位置を、前記付勢部材が前記円盤状電池を付勢する方向の延長線上に配置することを特徴とする請求項１または２に記載の電子機器。
【請求項４】
前記電池ホルダが前記電池ホルダケーシングの収納空間内に挿入された状態で、前記付勢部材が前記円盤状電池を付勢する位置が、前記円盤状電池の中心よりも、前記電子機器の外側に設定されていることを特徴とする請求項１ないし３のいずれか１項に記載の電子機器。
【発明の詳細な説明】
【技術分野】
【０００１】
本発明は、ボタン型電池又はコイン型電池（マメ電池）等の円盤状電池を内蔵するデジタルカメラ等の小型の電子機器に関するものであり、特に電池ホルダのクリック機構の改良に関するものである。
【背景技術】
【０００２】
一般に、カード型ラジオ受信機や小型電子計算機、デジタルカメラの内蔵電池等、各種電子機器においては、リチウム電池や酸化銀電池等のようなエネルギー密度の高いボタン型電池又はコイン型電池（マメ電池）が広く用いられている。
【０００３】
このようなボタン型電池又はコイン型電池（マメ電池）は、円筒型電池（乾電池）等に比べて極めて小さく、取り扱い難いものであるため、電子機器本体とは別体に形成される電池ホルダに載置した状態で電子機器本体内に収納するのが普通である。
【０００４】
従来の電子機器には、ボタン型電池又はコイン型電池（マメ電池）を電池ホルダに装填したものを、電池及び電池ホルダの収納機構部内に収納用開口から挿脱可能に収納して使用するものがある。このような電子機器では、電子機器本体内に電池ホルダを収納すると、電子機器本体に設けられたバネ部材が電池ホルダに装填されたボタン型電池等に圧接するように構成されている。この電子機器の電池ホルダ収納部内に配置されたバネ部材は、ボタン型電池の電極端子として機能し、電子機器本体１内部の電気回路とボタン型電池とを電気的に接続する。さらに、この電池ホルダ収納部内に配置されたバネ部材は、電池に圧接することにより電池ホルダを押圧して電池ホルダを電子機器本体から突出する方向に付勢する。
【０００５】
一方、この電子機器の電池ホルダには、電子機器本体と着脱可能に係止する係止部がロック機構として設けられている。この電池ホルダは、係止部が、電子機器本体に係止されることによって、電子機器本体から抜け落ちないように保持される。このように構成された電子機器の電池ホルダ収納部に電池ホルダを収納する構成では、電池ホルダの取り出しの際に、電池ホルダに設けられた操作摘みを操作して、係止部による電子機器本体に対する係止状態を解除する。すると、電池ホルダは、突出方向に付勢するバネ部材の付勢力によって、電子機器本体１の開口から速やかに外部に放出されて取り出されるようになっている（例えば、特許文献１参照）。
【特許文献１】特開平５−２６６８７３号公報
【発明の開示】
【発明が解決しようとする課題】
【０００６】
しかしながら、上述した従来の電子機器における電池及び電池ホルダの収納機構では、電池ホルダの他に、電子機器本体と着脱可能に係止する係止部（ロック機構）と、係止部による係止状態を解除する操作摘みとが必要となる。このため、従来の電子機器における電池及び電池ホルダの収納機構では、部品点数が増加し、構造が複雑となり、組立工数が増加して製造コストが嵩み、製品が高価になるという問題がある。
【０００７】
本発明の目的は、ボタン型電池等の円盤状電池を装填した電池ホルダを、簡素な構成によって電子機器の収納機構部内に良好に収納保持可能な電子機器を提供することにある。
【課題を解決するための手段】
【０００８】
上記目的を達成するために、本発明の電子機器は、電子機器本体に設置された電池ホルダケーシングの収納空間内に、円盤状電池を装填可能な電池ホルダを挿抜可能な電子機器において、前記電池ホルダケーシングの収納空間内に配置され、前記電池ホルダに装填される前記円盤状電池の外周に圧接して、前記円盤状電池を付勢する付勢部材と、前記電池ホルダに形成される被係合部と、前記電池ホルダを前記電池ホルダケーシングの収納空間内に挿入するときに、前記被係合部と係合する係合部とを有し、前記係合部は前記電池ホルダを前記電池ホルダケーシングの収納空間内から取り出すときに弾性的に変位するものであって、前記係合部が変位する方向と前記付勢部材が前記円盤状電池を付勢する方向とを略一致させることを特徴とする。
【発明の効果】
【０００９】
本発明によれば、ボタン型電池等の円盤状電池を装填した電池ホルダに、簡素な構成によって電子機器の収納部内に良好に保持可能な電子機器を提供することができる。
【発明を実施するための最良の形態】
【００１０】
以下、本発明の実施の形態について図面を参照しながら説明する。
【００１１】
図１は、本発明の電子機器の実施の形態に係わるデジタルカメラ全体の外観を示す斜視図である。
【００１２】
図１に示すように電子機器本体としてのカメラ本体１の側面には、コイン電池を装填したコイン電池ホルダ２を、カメラ本体１の内部に挿入して保持するための電池ホルダの収納ユニット６を備える。したがって、コイン電池ホルダ２は円盤状電池を装填可能な電池ホルダとして機能する。このカメラ本体１では、本体内部に収納保持したコイン電池３（ボタン型電池又はコイン型電池、マメ電池等の円盤状電池でも良い）を内蔵時計の電源として使用する。なお、カメラ本体１の主電源は、図示しない別の電池を使用する。
【００１３】
カメラ本体１に設けた電池ホルダの収納ユニット６は、消耗したコイン電池３を交換するために、コイン電池ホルダ２を着脱可能に構成する。このカメラ本体１に設けた電池ホルダの収納ユニット６は、コイン電池ホルダ２を着脱する際に、それぞれ作業者がクリック感を伴って作業できるように構成されている。さらに、このカメラ本体１に設けた電池ホルダの収納ユニット６は、コイン電池３を装填したコイン電池ホルダ２を収納保持した状態で、ロック機構によってカメラ本体１に対して係止されるように構成されている。
【００１４】
次に、カメラ本体１に設けた電池ホルダの収納ユニット６と、この収納ユニット６内に着脱可能に収納保持されるコイン電池ホルダ２とについて、図２及び図３によって説明する。
【００１５】
図２は、本発明の電子機器の実施の形態に係わるデジタルカメラにおける電池ホルダの収納ユニット６から、コイン電池ホルダ２を引き出した状態の部分を取り出してカメラ背面から見たところを示す斜視図である。
【００１６】
図３は、本発明の電子機器の実施の形態に係わるデジタルカメラにおける電池ホルダの収納ユニット６から、コイン電池ホルダ２を引き出した状態の部分を取り出してカメラ正面から見たところを示す斜視図である。
【００１７】
このコイン電池ホルダ２は、可撓性材料によって形成されたもので、コイン電池３の支持部２０と、この支持部２０の挿入方向先端部に配置された電池係止部２１と、その挿入方向後端部に配置された操作摘み部２２と、を備える。
【００１８】
この支持部２０は、円盤状電池としてのコイン電池３の一方の円形平面に沿うように略矩形の変形板状に形成されている。この支持部２０には、コイン電池３を載置するのと反対側の外方側面の中央部に、支持部２０の挿入方向に沿って、相互に平行な２本の矩形のリブ状に突出した挿入ガイド部材であるリブ突部２３、２４を突設する。
【００１９】
これら相互に平行な２本のリブ突部２３、２４の外側に当たる各側面には、支持部２０の挿入方向先端側と後端側とに、それぞれ半円形状の摺動子２ｃを一体的に突設する。
【００２０】
図３に示すように、コイン電池３の支持部２０の挿入方向先端部に配置された電池係止部２１は、可撓性材料によって断面Ｕ字状で小円弧状に形成されている。この電池係止部２１は、断面Ｕ字状の凹部内にコイン電池３の外周端部を挟み込み、コイン電池３の他の外周端部を操作摘み部２２の内面部に当接させることによって、コイン電池３を保持可能に構成されている。
【００２１】
また、コイン電池３の支持部２０の挿入方向後端部に配置された操作摘み部２２は、正面が略矩形平面状の飾り板に形成されている。この操作摘み部２２は、コイン電池ホルダ２が収納ユニット６に設けられた電池ホルダの収納空間に収納保持されたときに、電池ホルダの収納空間の開口を隠すための目隠し部材となるように形成されている。さらに、操作摘み部２２は、ユーザがコイン電池３を装填したコイン電池ホルダ２を、カメラ本体１に対して着脱するときに持つためのノブとしての機能を備える。
【００２２】
さらに、図２、図３及び図９に示すように、コイン電池３を載置するのと反対側の外方側面には、リブ突部２５が形成される。このリブ突部２５は、コイン電池ホルダ２のリブ突部２３の上方に所定間隔を開けて配置される。このリブ突部２５には、ロック機構を構成するため、リブ突部２３に対向する側面における自由端部側（支持部２０の挿入方向先端側）の所定２箇所に、被係合凸部２ａ，２ｂを突設する。これら被係合凸部２ａ，２ｂは、それぞれ自由端頭部が半円形の小柱状で同じ高さとなるように形成する。被係合凸部２ａ，２ｂは、コイン電池ホルダ２に形成される被係合部として機能する。
【００２３】
このように構成されたコイン電池ホルダ２を収納する電池ホルダの収納ユニット６は、コイン電池ホルダ２を挿抜可能に収納するための側面視で略台形状の電池ホルダケーシング４を備える。この電池ホルダケーシング４の正面には、矩形枠に囲まれた電池ホルダの収納空間が開口している。
【００２４】
この電池ホルダケーシング４の上端面には、収納状態のコイン電池３の外周部の一部を外部に覗かせるように貫通した開口部４０を設ける。さらに、電池ホルダケーシング４の上端面には、長板状の板ばねの自由端部をＶ字状に折曲したプラスの電池接片５を配置する。この電池接片５は、その基端部を電池ホルダケーシング４の上端面に締結部材で固定し、その自由端部のＶ字状に折曲した部分を開口部４０内に入り込むように臨ませた状態となるように取り付ける。このように取り付けられた電池接片５は、収納ユニット６内に、コイン電池３を装填したコイン電池ホルダ２を収納したときに、コイン電池３の側面にＶ字状に折曲した部分が当接して電気的に導通するよう構成する。電池接片５は、収納状態のコイン電池３を付勢する付勢部材として機能する。このとき、収納状態のコイン電池３を付勢する付勢力は電池ホルダケーシング４の上端面の締結位置を中心とする回動方向の付勢力となる。
【００２５】
また、この電池ホルダケーシング４には、その一方の側平面部の中央部を矩形状に切欠して、図示しないマイナスの電池接片を、コイン電池３の円形平面に当接させて電気的に導通できるように構成する。
【００２６】
さらに、この電池ホルダケーシング４には、その他方の側平面部の内側に、支持部２０の挿入方向に沿って、相互に平行な２本の矩形のリブ状に突出した電池ケースのガイドレール４１、４２を突設する。これらガイドレール４１、４２の相対向する内側面間の間隔は、コイン電池ホルダ２の挿入ガイド部材であるリブ突部２３、２４に設けた半円形状の摺動子２ｃの頂点の間隔よりも若干大きくなるように構成する。これにより一対のガイドレール４１、４２は、その間にコイン電池ホルダ２の挿入ガイド部材であるリブ突部２３、２４に設けた半円形状の摺動子２ｃを挟んだ状態で摺動自在にガイド（案内）する。
【００２７】
さらに、図９に示すように、ガイドレール４１には、その上面（支持部材２５に対向した面）の所定位置に、ロック機構を構成するための係合凸部４ａを一体的に形成する。この係合凸部４ａは、断面半円形状に形成する。係合凸部４ａは、コイン電池ホルダ２が電池ホルダケーシング４の収納空間内に挿入される状態で、被係合凸部２ａ，２ｂと係合する係合部として機能する。コイン電池ホルダ２が電池ホルダケーシング４の収納空間内に挿入される状態で、係合凸部４ａと被係合凸部２ａ，２ｂとの係合位置は、電池接片５が収納状態のコイン電池３を付勢する付勢力の略延長線上に配置されている。
【００２８】
そして、電池ホルダケーシング４にコイン電池ホルダ２を収納した状態において、コイン電池ホルダ２側の被係合凸部２ａが、係合凸部４ａにおける収納空間奥側の基端部に当接するように、係合凸部４ａを配置する。
【００２９】
コイン電池ホルダ２の収納状態において、電池ホルダケーシング４の側の係合凸部４ａの挿入方向後ろ側の基端部に、電池ホルダ２の側に配置された被係合凸部２ａが当接するように構成する。係合凸部４ａはガイドレール４１の摺動子２ｃが摺動しない面に突出形成される。ガイドレール４１の係合凸部４ａが形成される面の反対側の面に係合凸部４ａを中心としてガイドレール４１が切り欠かれる切欠部４１ａが形成されている。この切欠部４１ａの形状にあわせて電池ホルダケーシング４の側面部分に貫通する開口があけられている。また、係合凸部４ａが形成されている周囲の電池ホルダケーシング４の側面部分にも貫通する開口があけられている。すなわち、ガイドレール４１の係合凸部４ａを中心とした所定幅の部分の上下に対応する、電池ホルダケーシング４の側面部分を貫通する開口をそれぞれ設ける。これによってガイドレール４１の係合凸部４ａが設けられた位置を中心とした所定幅の部分は、図中上下方向に弾性的に変位する樹脂ばね部４３として機能する。そして、この変位方向は電池接片５が収納状態のコイン電池３を付勢する方向と略一致するようになっている。したがって、変位した係合凸部４ａが元の状態に戻ろうとする力と電池接片５が収納状態のコイン電池３を付勢する力とは、互いに反対方向の力となる。
【００３０】
このように構成することにより、ガイドレール４１には、係合凸部４ａが設けられた位置を中心とした所定幅の部分が両端支持梁の構造に形成されて樹脂ばね部４３に形成されたロック機構を設ける。このロック機構では、コイン電池ホルダ２を収納ユニット６に収納したときに、被係合凸部２ａが係合凸部４ａに係止されることによって、コイン電池ホルダ２が抜け落ちないように保持する。
【００３１】
次に、コイン電池を装填したコイン電池ホルダ２を、カメラ本体１の電池ホルダの収納ユニット６に挿入して保持する際の作用及び動作について、図４乃至図８を参照して、説明する。
【００３２】
このカメラ本体１にコイン電池３を収納して使用する場合には、コイン電池３をコイン電池ホルダ２に装填したものを、電池ホルダの収納ユニット６の電池ホルダの収納空間内に、図２のｘ方向に沿って引き出し可能に挿入する。そして、コイン電池ホルダ２が図４の状態まで挿入されると、電池ホルダの被係合凸部２ｂが電池ホルダケーシング４の係合凸部４ａと当接する。なお、図で３ａは、コイン電池ホルダ２に装填されるコイン電池の中心である。この図４の状態では、コイン電池３が、プラスの電池接片５に当たって矢印ｙ方向と逆方向に少しチャージさせた状態となっている。
【００３３】
この図４の状態から少しだけコイン電池ホルダ２をｘ方向に押し込むと、コイン電池ホルダ２の被係合凸部２ｂの頂点と電池ホルダケーシング４の係合凸部４ａの頂点とが接する図５に示す状態となる。
【００３４】
この状態では、コイン電池ホルダ２の摺動子２ｃのうちの２つが、まだカメラ本体１の外側にあり、電池ホルダケーシング４のガイドレール４１、４２に当たっていない。このため、図５に示す状態で電池ホルダは、反時計周りに多少回転可能な状態となっているので、電池ホルダの被係合凸部２ｂが電池ケースの凸部４ａを乗り越えるときに、さほどクリック感を生じさせないようにできる。このように構成した場合には、ユーザがコイン電池ホルダ２を挿入する動作を行った際に、最初のクリック感を生じた所で電池ホルダ２を完全に挿入したとユーザが誤認識するのを防ぐことができる。
【００３５】
次に、図５の状態から、さらにコイン電池ホルダ２をｘ方向に挿入すると、コイン電池ホルダ２の被係合凸部２ａと電池ホルダケーシング４の係合凸部４ａが接触した図６に示す状態となる。この状態では、コイン電池ホルダ２に設けられた４個の摺動子２ｃの全てが、電池ホルダケーシング４のガイドレール４１、４２にガイド（案内）されるため、電池ホルダ２は回転していた状態から、ｘ方向と平行な状態に戻る。
【００３６】
次に、図６の状態からコイン電池ホルダ２をｘ方向にさらに押し込むと、コイン電池ホルダ２の被係合凸部２ａの頂点と電池ホルダケーシング４の係合凸部４ａの頂点が接する図７に示す状態となる。
【００３７】
この状態では、コイン電池ホルダ２に装填されたコイン電池３が、電池ホルダの摺動部２ｃと電池ホルダケーシング４のガイドレール４１、４２の摺動ガタ分だけ矢印ｙと逆方向に持ち上げられる。この動作により、電池ホルダケーシング４に設けたプラスの電池接片５は矢印ｙと逆方向（電池ホルダケーシング４の天側に向けた方向）にチャージされる。
【００３８】
さらに、この状態では、コイン電池３の中心３ａが、被係合凸部２ａの直下（下方）にあるので、このときに電池接片５のチャージ量が略最大となる。このとき、摺動ガタ分以上の被係合凸部２ａの掛かり量は、係合凸部４ａを設けたガイドレール４１の一部に構成された樹脂ばね部４３の変形量となる。そして、この弾性支持部としての樹脂ばね部４３が弾性変形して生じる付勢力が、クリック感を発生させる力となる。
【００３９】
また、この図７に示す状態では、電池接片５がコイン電池３を介してコイン電池ホルダ２をクリック量を大きくする方向（矢印ｙ方向である電池ホルダケーシング４の底に向けた方向）に付勢する。
【００４０】
よって、この図７に示す状態では、コイン電池ホルダ２の被係合凸部２ａが電池ホルダケーシング４の係合凸部４ａを乗り越えるときに、コイン電池ホルダ２が浮き上がるのを抑制する。すなわち、コイン電池ホルダ２が矢印ｙと逆方向（電池ホルダケーシング４の天側に向けた方向）に移動するのを抑制することにより、樹脂ばね部４３が矢印ｙ方向に押し下げられる変形量を増大する。これにより樹脂ばね部４３で発生する弾性反発力が増大するので、クリック感を良好にしでき、しかも荷重を安定化できる。
【００４１】
すなわち、この電子機器本体に設置された電池ホルダケーシング４の収納空間内に円盤状電池３を装填した電池ホルダ２を引き出し可能に挿入する際には、ガイドレール４１、４２に挿入ガイド部材２３、２４がガイドされる。そしてコイン電池ホルダ２の被係合凸部２ａが樹脂ばね部４３に設けた係合凸部４ａに当たると、被係合凸部２ａは、電池接片５がコイン電池３を底方向へ向けて押圧する付勢力と相俟って、係合凸部４ａを押圧する。
【００４２】
さらに、コイン電池ホルダ２の挿入動作に伴い、コイン電池ホルダ２の被係合凸部２ａは、樹脂ばね部４３を弾性変形させながら係合凸部４ａを乗り越えて、係合凸部４ａにおける収納空間奥側の基端部に当接する。これによりコイン電池ホルダ２に装填された円盤状電池であるコイン電池３が電池ホルダケーシング４の収納空間内に収納保持される。
【００４３】
次に、コイン電池ホルダ２をさらに電池ホルダケーシング４に完全に挿入すると、図８に示す状態となる。この図８に示す状態では、電池接片５がコイン電池３の外周に圧接する位置の下方で、かつ電池接片５がコイン電池３の外周を付勢する方向の延長線上で、電池ホルダケーシング４の側の係合凸部４ａに、電池ホルダ２の側の被係合凸部２ａが当接する。よって、この図８に示す状態では、コイン電池３がプラスの電池接片５により矢印ｙ方向の力を受ける。この電池接片５による付勢力は、ロック機構を構成するコイン電池ホルダ２の被係合凸部２ａを電池ホルダケーシング４の係合凸部４ａに押し付けて係合させる、矢印ｙ方向の力である。これに対して、コイン電池ホルダ２を図７の状態から図８の状態に挿入したときに樹脂ばね部４３に作用する復元力の方向は、電池接片５がコイン電池３の外周を付勢する付勢力の方向と略反対方向となっている。このため、電池接片５がコイン電池３を押す力が被係合凸部２ａと係合凸部４ａとの係合をより強固にする方向に作用する。したがって、このロック機構では、衝撃を受けた場合でも被係合凸部２ａと係合凸部４ａとの係合が解除しにくい。
【００４４】
よって、このカメラ本体１では、衝撃を受けても、電池ホルダの収納ユニット６から電池ホルダ２が飛び出すのを抑制できる。さらに、このカメラ本体１では、落下などの強い衝撃により電池ホルダの被係合凸部２ａが電池ケースの係合凸部４ａを乗り越えたとしても、次に電池ホルダの被係合凸部２ｂと電池ケースの係合凸部４ａとが係合する。すなわち、電池ホルダの被係合凸部２ｂは、ロック機構における係合凸部４ａに対して第２のストッパとして機能するので、電池ホルダ２が電池ホルダの収納ユニット６から完全に飛び出すことをより抑制できる。
【００４５】
また、この図８に示す状態では、電池接片５とコイン電池３との接点がコイン電池の中心３ａよりも外側にあるので、電池接片５の付勢力により、コイン電池３及び電池ホルダ２が矢印ｘ方向に引き込まれる付勢力を受ける。このため、デジタルカメラ１では、コイン電池ホルダ２を電池ホルダケーシング４の収納空間奥側に引き込むので、外装面とコイン電池ホルダ２の外観面を構成する操作摘み部２２との段差を小さくすることができ、外観上美麗になる。
【００４６】
次に、本実施の形態に係わるカメラ本体１の構成において、コイン電池ホルダ２を挿入し又は引き出す操作を行うときのクリック量を設定するための構成について説明する。
【００４７】
ユーザがカメラ本体１に対してコイン電池ホルダ２を挿入又は引き出す操作を行うときに受けるクリックの感触及び荷重は、クリック量に大きく影響される。
【００４８】
本実施の形態のカメラ本体１では、コイン電池ホルダ２が、電池接片５によって矢印ｙ方向（電池ホルダケーシング４の底に向けた方向）に付勢される。このため、クリック量は、電池ホルダ下側の２つの摺動子２ｃが電池ケース下側のガイドレール４２と当接した状態において、電池ホルダの被係合凸部２ａと電池ケースの係合凸部４ａとの掛かり量となる。
【００４９】
図９の断面図に寸法関係を示すように、クリック量はｄ３となる。また、ｄ１：電池ホルダ摺動部２ｃの幅、ｄ２：電池ケースのガイドレール４１、４２の幅である。本実施の形態では、ｄ３＝０．２６６、ｄ２＝３．８０、ｄ１＝３．８０に設定している。本実施の形態の構成では、ｄ１、ｄ２、ｄ３を変更してクリック量を調整することにより、良好な感触で、かつ適度な荷重をもったクリック感に仕上げることができる。
【００５０】
なお、上述した実施の形態では、電池ホルダケーシング４に設ける係合凸部４ａを図２に向かって上向き（電池ホルダケーシング４の天側の向き）に形成することによって、クリック量を大きくするように構成した。
【００５１】
この構成による特徴を明確にするため、図１０及び図１１に示す電池収納機構の比較例と比較すると次の通りである。この比較例の電池収納機構では、電池接片１０５により、コイン電池１０３及び電池ホルダ１０２が下側に付勢される。この構成では、電池挿入時のクリック力が弱まり、衝撃を受けた際にコイン電池１０３及び電池ホルダ１０２が飛び出すおそれがある。
【００５２】
逆に電池ホルダ挿入時では、電池ホルダの凸部１０２ａが電池ケースの凸部１０４ａを乗り越えるとき、電池ホルダ１０２とコイン電池１０３は摺動ガタ分、下側に変位する。これと共に電池接片１０５は、コイン電池１０３を下側に付勢するので、クリック感が弱くなる。よって、本発明の実施の形態では、図１０及び図１１に示す電池収納機構の比較例よりもクリック感を向上できることがわかる。
【００５３】
また、本発明は上述した実施の形態に限定されるものではなく、本発明の要旨を逸脱しない範囲内で種々の変形や応用が可能なことは勿論である。さらに、上述した実施の形態には種々の段階の発明が含まれており、開示される複数の構成要件の適当な組み合わせにより種々の発明が抽出され得る。例えば、実施の形態に示される全構成要件からいくつかの構成要件が削除されても、発明の課題が解決でき、発明の効果が得られる場合には、この構成要件が削除された構成も発明として抽出され得る。
【図面の簡単な説明】
【００５４】
【図１】本発明の電子機器の実施の形態に係わるカメラ全体の外観を示す斜視図である。
【図２】本発明の電子機器の実施の形態に係わるカメラにおける電池ホルダの収納ユニットから、コイン電池ホルダを引き出した状態の部分を取り出してカメラ背面から見たところを示す斜視図である。
【図３】本発明の電子機器の実施の形態に係わるカメラにおける電池ホルダの収納ユニットから、コイン電池ホルダを引き出した状態の部分を取り出してカメラ正面から見たところを示す斜視図である。
【図４】本実施の形態に係わるカメラにおける、コイン電池をコイン電池ホルダに装填したものを、電池ホルダの収納ユニットの収納空間内に、電池ホルダの係合凸部が電池ホルダケーシングの係合凸部と接触するまで挿入した状態を取り出して示す側面図である。
【図５】本実施の形態に係わるカメラにおける、コイン電池をコイン電池ホルダに装填したものを、電池ホルダの収納ユニットの収納空間内に、コイン電池ホルダの係合凸部の頂点と電池ホルダケーシングの係合凸部の頂点とが接するまで挿入した状態を取り出して示す側面図である。
【図６】本実施の形態に係わるカメラにおける、コイン電池をコイン電池ホルダに装填したものを、電池ホルダの収納ユニットの収納空間内に、コイン電池ホルダの係合凸部と電池ホルダケーシングの係合凸部が接触するまで挿入した状態を取り出して示す側面図である。
【図７】本実施の形態に係わるカメラにおける、コイン電池をコイン電池ホルダに装填したものを、電池ホルダの収納ユニットの収納空間内に、コイン電池ホルダの係合凸部の頂点と電池ホルダケーシングの係合凸部の頂点が接するまで挿入した状態を取り出して示す側面図である。
【図８】本実施の形態に係わるカメラにおける、コイン電池をコイン電池ホルダに装填したものを、電池ホルダの収納ユニットの収納空間内に、完全に挿入した状態を取り出して示す側面図である。
【図９】本実施の形態に係わるカメラにおける、コイン電池をコイン電池ホルダに装填したものを、電池ホルダの収納ユニットの収納空間内に、完全に挿入した状態を取り出して示す縦断面図である。
【図１０】従来のコイン電池収納部ユニットで、電池ホルダを取り出した状態を示す斜視図である。
【図１１】従来のコイン電池収納部ユニットで、電池ホルダを完全に挿入した状態を示す側面図である。
【符号の説明】
【００５５】
１  カメラ本体
２  コイン電池ホルダ
２ａ、２ｂ  被係合凸部（ホルダ側）
２ｃ  摺動子
３  コイン電池
３ａ  コイン電池中心
４  電池ホルダケーシング
４ａ  係合凸部（ケース側）
５  プラスの電池接片
２０  支持部
２１  電池係止部
２２  操作摘み部
２３、２４  リブ突部
２５  弾性係止用付勢部材
４０  開口部
４１、４２  ガイドレール
４３  樹脂ばね部
【図１】
2010049976.tif 000003
【図２】
2010049976.tif 000004
【図３】
2010049976.tif 000005
【図４】
2010049976.tif 000006
【図５】
2010049976.tif 000007
【図６】
2010049976.tif 000008
【図７】
2010049976.tif 000009
【図８】
2010049976.tif 000010
【図９】
2010049976.tif 000011
【図１０】
2010049976.tif 000012
【図１１】
2010049976.tif 000013